(57)【要約】【課題】簡易な構成かつ簡易な通信で表示制御することができる薄型表示ファイルを提供することを目的とする。【解決手段】ホスト装置２０が、画像データであるページデータ４２に２つのページフィールド（表示すべき電子ペーパのページ数を表す表示ページフィールドＰ１と電子ペーパの現在のページ位置を表すと共に各電子ペーパでインクリメントされる位置ページフィールドＰ２）４４を追加して電子ペーパへ出力し、各電子ペーパが、ページフィールド４４が付加された画像データの２つのページフィールド４４を比較し、２つのページフィールド４４が一致している場合に、当該画像データに基づく画像を表示領域に表示し、２つのページフィールド４４が一致しない場合に、位置ページフィールドＰ２を１インクリメントして次ぎの電子ペーパへ送信する。【選択図】        図８
2004184914.tif 000002
【特許請求の範囲】
【請求項１】
画像を表す画像データに基づいて画像を表示する表示手段を有する薄型表示装置と、当該薄型表示装置を複数ページ直列接続して保持すると共に、前記画像データを複数の前記薄型表示装置へ順次送信するホスト装置と、からなる薄型表示ファイルであって、
前記ホスト装置は、
複数ページ保持された前記薄型表示装置のうち表示すべきページを表すページ情報、及び各ページ毎に更新されることにより前記画像データの現在のページ位置を表すページ位置情報を、前記画像データに付加する付加手段と、
前記付加手段によって前記ページ情報及び前記ページ位置情報が付加された画像データを前記薄型表示装置に送信する送信手段と、
を備え、
前記薄型表示装置は、
前記ページ情報及び前記ページ位置情報が付加された画像データを受信する受信手段と、
前記受信手段によって受信した前記画像データの前記ページ情報及び前記ページ位置情報を比較して一致するか否かを判定する判定手段と、
前記判定手段の判定結果に基づいて、前記表示手段の表示を制御する制御手段と、
前記判定手段による判定後に前記ページ位置情報を更新する更新手段と、
前記ページ情報及び前記更新手段によって更新されたページ位置情報が付加された画像データを続くページの前記薄型表示装置又は前記ホスト装置へ送出する送出手段と、
を備えることを特徴とする薄型表示ファイル。
【請求項２】
前記ホスト装置は、前記薄型表示装置に表示すべき画像を表す画像データを蓄積する蓄積手段と、前記蓄積手段に蓄積された画像データの選択及び前記ページ情報を含む表示指示を入力するための入力手段と、をさらに備えることを特徴とする請求項１に記載の薄型表示ファイル。
【請求項３】
前記薄型表示装置は、表裏に前記表示手段を有し、前記付加手段が、表示すべき薄型表示装置の表裏を表す表裏情報を前記画像データにさらに付加し、前記制御手段が、前記判定手段の判定結果及び前記表裏情報に基づいて表裏の前記表示手段の前記表示を制御することを特徴とする請求項１又は請求項２に記載の薄型表示ファイル。
【請求項４】
前記直列接続は、前記薄型表示装置を複数ページ重ねたときに各ページが電気的に接続される接続部を前記薄型表示装置の表裏に設け、前記接続部に対応する前記ホスト装置の位置にホスト接続部を設け、前記接続部及び前記ホスト接続部を接続することを特徴とする請求項１乃至請求項３の何れか１項に記載の薄型表示ファイル。
【請求項５】
画像を表す画像データに基づいて画像を表示する表示手段を有する薄型表示装置と、当該薄型表示装置を複数ページ直列接続して保持すると共に、前記画像データを複数の前記薄型表示装置へ順次送信するホスト装置と、からなる薄型表示ファイルのデータ通信方法であって、
前記ホスト装置に保持された複数の前記薄型表示装置のうち表示すべきページを表すページ情報、及び各ページ毎に更新されることにより前記画像データの現在のページ位置を表すページ位置情報を、前記ホスト装置が前記画像データに付加して、前記ホスト装置に保持された各薄型表示装置に順次送信し、
前記ホスト装置に複数ページ保持された各薄型表示装置が、前記ページ情報及び前記ページ位置情報が付加された画像データを受信して、前記画像データの前記ページ情報及びページ位置情報が一致する画像データに基づいて、前記表示手段に画像を表示すると共に、前記ページ位置情報を更新して、該ページ位置情報が更新された画像データを続くページの薄型表示装置又は前記ホスト装置に順次送信することを特徴とする薄型表示ファイルのデータ通信方法。
【請求項６】
前記薄型表示装置が、表裏に前記表示手段を有する場合には、前記ホスト装置は、前記ページ情報及びページ位置情報の他に、表示すべき薄型表示装置の表裏を表す表裏情報をさらに付加して、各薄型表示装置は、前記一致する画像データ及び前記表裏情報に基づいて表裏の前記表示手段に画像を表示することを特徴とする請求項５に記載の薄型表示ファイルのデータ通信方法。
【請求項７】
画像を表す画像データに基づいて画像を表示する表示手段を有する薄型表示装置と、当該薄型表示装置を複数ページ直列接続して保持すると共に、前記画像データを複数の前記薄型表示装置へ順次送信するホスト装置と、からなる薄型表示ファイルであって、
前記ホスト装置は、
複数ページ保持された前記薄型表示装置のうち表示すべきページを表すページ情報を前記画像データに付加する付加手段と、
前記付加手段によって前記ページ情報が付加された画像データを前記薄型表示装置に送信する送信手段と、
を備え、
前記薄型表示装置は、
前記ページ情報が付加された画像データを受信する受信手段と、
前記受信手段によって受信した前記画像データの前記ページ情報と、前記薄型表示装置の直列接続に応じて前記薄型表示装置毎に予め設定されたページ設定情報と、を比較して一致するか否かを判定する判定手段と、
前記判定手段の判定結果に基づいて、前記表示手段の表示を制御する制御手段と、
前記ページ情報が付加された画像データを続くページの前記薄型表示装置又は前記ホスト装置へ送出する送出手段と、
を備えることを特徴とする薄型表示ファイル。
【請求項８】
画像を表す画像データに基づいて画像を表示する表示手段を有する薄型表示装置と、当該薄型表示装置を複数ページ直列接続して保持すると共に、前記画像データを複数の前記薄型表示装置へ順次送信するホスト装置と、からなる薄型表示ファイルのデータ通信方法であって、
前記ホスト装置に保持された複数の前記薄型表示装置のうち表示すべきページを表すページ情報を、前記ホスト装置が前記画像データに付加して、前記ホスト装置に保持された各薄型表示装置に順次送信し、
前記ホスト装置に複数ページ保持された各薄型表示装置が、前記ページ情報が付加された画像データを受信して、前記画像データの前記ページ情報と、前記薄型表示装置の直列接続に応じて前記薄型表示装置毎に予め設定されたページ設定情報とが一致する画像データに基づいて、前記表示手段に画像を表示すると共に、前記ページ情報が付加された画像データを続くページの薄型表示装置又は前記ホスト装置に順次送信することを特徴とする薄型表示ファイルのデータ通信方法。
【発明の詳細な説明】
【０００１】
【発明の属する技術分野】
本発明は、薄型表示ファイル及び薄型表示ファイルのデータ通信方法にかかり、特に、複数枚の薄型表示装置を重ねて使用する薄型表示ファイル及び薄型表示ファイルのデータ通信方法に関する。
【０００２】
【従来の技術】
近年、情報化社会の発展に伴い、電子ディスプレイと紙の長所を兼ね備えた薄型表示装置としての電子ペーパーが注目されている。
【０００３】
薄型表示装置は、紙と同様に、複数の薄型表示装置を重ねて束ねて使用することが考えられる。そこで、例えば、特許文献１では、物理的または電気的に接続機能を備えた接続端子を、電子ペーパと本体とに備えて、ファイル型に束ねることが提案されている。特許文献１では、電子ペーパーと本体とが着脱可能とされ、表示用データは、電子ペーパーの表示部に備えられた不揮発性メモリに記録されるようにして、本体から外された電子ペーパーは、その表示内容を保持するようになっている。さらに、特許文献１では、所望のページを開いた状態で保持することが可能とされている。
【０００４】
このように、薄型ディスプレイは、紙と同様に、ファイル形式で扱うことができ、その閲覧性を紙と同様に扱うことができる。
【０００５】
【特許文献１】
特開２００１−３１２２２７号公報（第１頁、第１図）
【０００６】
【発明が解決しようとする課題】
しかしながら、特許文献１のように、複数の薄型表示装置をホスト装置（特許文献１では、本体）に接続する場合には、従来は複数の薄型表示装置それぞれを識別するために、ホスト装置と各薄型表示装置を一対一に各々接続する必要があった。そして、各薄型表示装置に接続コネクタ等を設けるので、多数重ねて使用するときには、複数の薄型表示装置の上下などの位置関係を識別するのが煩雑となる、という問題がある。
【０００７】
また、複数重ねることによる接続箇所の増大によりコストが高くなってしまう、という問題がある。
【０００８】
本発明は、上記問題を解決すべく成されたもので、簡易な構成かつ簡易な通信で表示制御することができる薄型表示ファイル及び薄型表示ファイルのデータ通信方法を提供することを目的とする。
【０００９】
【課題を解決するための手段】
上記目的を達成するために請求項１に記載の発明は、画像を表す画像データに基づいて画像を表示する表示手段を有する薄型表示装置と、当該薄型表示装置を複数ページ直列接続して保持すると共に、前記画像データを複数の前記薄型表示装置へ順次送信するホスト装置と、からなる薄型表示ファイルであって、前記ホスト装置は、複数ページ保持された前記薄型表示装置のうち表示すべきページを表すページ情報、及び各ページ毎に更新されることにより前記画像データの現在のページ位置を表すページ位置情報を、前記画像データに付加する付加手段と、前記付加手段によって前記ページ情報及び前記ページ位置情報が付加された画像データを前記薄型表示装置に送信する送信手段と、を備え、前記薄型表示装置は、前記ページ情報及び前記ページ位置情報が付加された画像データを受信する受信手段と、前記受信手段によって受信した前記画像データの前記ページ情報及び前記ページ位置情報を比較して一致するか否かを判定する判定手段と、前記判定手段の判定結果に基づいて、前記表示手段の前記表示を制御する制御手段と、前記判定手段による判定後に前記ページ位置情報を更新する更新手段と、前記ページ情報及び前記更新手段によって更新されたページ位置情報が付加された画像データを続くページの前記薄型表示装置又は前記ホスト装置へ送出する送出手段と、を備えることを特徴としている。
【００１０】
請求項１に記載の発明によれば、薄型表示装置が例えば複数ページ重ねられて直列接続されて、ホスト装置によって保持されることにより薄型表示ファイルが構成され、各薄型表示装置に画像を表示するための画像データがホスト装置より順次送信される。
【００１１】
ホスト装置では、複数ページ保持された薄型表示装置のうち表示すべきページを表すページ情報、及び各ページ毎に更新されることにより画像データの現在のページ位置を表すページ位置情報が画像データに付加されて、送信手段によって薄型表示装置に送信される。
【００１２】
薄型表示装置では、受信手段によってページ情報及びページ位置情報が付加された画像データが受信される。そして、判定手段によってページ情報及びページ位置情報が一致するか否か判定され、該判定結果に基づいて、制御手段によって表示手段への表示が制御される。
【００１３】
また、判定手段の判定後に、ページ位置情報が更新手段によって更新され、当該ページ位置情報及びページ情報が付加された画像データが送出手段によって続くページの薄型表示装置又はホスト装置に送出される。
【００１４】
すなわち、画像データが順次薄型表示装置から送出される毎に、ページ位置情報が各ページの薄型表示装置で更新されるので、ページ情報とページ位置情報が一致するページの薄型表示装置が、画像を表示すべきページとなるので、所望のページの薄型表示装置に所望の画像を表示させることができる。
【００１５】
このようにホスト装置から送信する画像データにページ情報とページ位置情報を付加して、各ページ毎にページ位置情報を更新し、ページ情報とページ位置情報が一致する薄型表示装置において画像データに基づく表示を行うだけで、容易に薄型表示ファイルの各薄型表示装置への表示を制御することができるので、簡易な構成かつ簡易な通信で表示制御することができる。
【００１６】
なお、請求項２に記載の発明のように、蓄積手段と入力手段をホスト装置に備えることにより、ホスト装置に保持された複数の薄型表示装置に所望の画像を表示させることが可能となる。
【００１７】
請求項３に記載の発明は、請求項１又は請求項２に記載の発明において、前記薄型表示装置は、表裏に前記表示手段を有し、前記付加手段が、表示すべき薄型表示装置の表裏を表す表裏情報を前記画像データにさらに付加し、前記制御手段が、前記判定手段の判定結果及び前記表裏情報に基づいて表裏の前記表示手段の前記表示を制御することを特徴としている。
【００１８】
請求項３に記載の発明によれば、請求項１又は請求項２に記載の発明において、薄型表示装置が、表裏に表示手段を有する場合には、ホスト装置の付加手段によって、ページ情報及びページ位置情報の他に、表示すべき薄型表示装置の表裏を表す表裏情報を画像データにさらに付加して、制御手段が、判定手段の判定結果及び表裏情報に基づいて、表示手段への表示を制御することにより、表裏に表示手段を有する薄型表示装置でも、上記同様に、所望のページの薄型表示装置に所望の画像を表示させることができる。
【００１９】
なお、複数の薄型表示装置とホスト装置における直列接続は、請求項４に記載の発明のように、複数ページ重ねたときに各ページが電気的に接続される接続部を薄型表示装置の表裏に設け、当該接続部に対応するホスト装置の位置にホスト接続部を設けることにより、電気的接続を行うことが可能である。
【００２０】
請求項５に記載の発明は、画像を表す画像データに基づいて画像を表示する表示手段を有する薄型表示装置と、当該薄型表示装置を複数ページ直列接続して保持すると共に、前記画像データを複数の前記薄型表示装置へ順次送信するホスト装置と、からなる薄型表示ファイルのデータ通信方法であって、前記ホスト装置に保持された複数の前記薄型表示装置のうち表示すべきページを表すページ情報、及び各ページ毎に更新されることにより前記画像データの現在のページ位置を表すページ位置情報を、前記ホスト装置が前記画像データに付加して、前記ホスト装置に保持された各薄型表示装置に順次送信し、前記ホスト装置に複数ページ保持された各薄型表示装置が、前記ページ情報及び前記ページ位置情報が付加された画像データを受信して、前記画像データの前記ページ情報及びページ位置情報が一致する画像データに基づいて、前記表示手段に画像を表示すると共に、前記ページ位置情報を更新して、該ページ位置情報が更新された画像データを続くページの薄型表示装置又は前記ホスト装置に順次送信することを特徴としている。
【００２１】
請求項５に記載の発明によれば、ホスト装置に保持された複数の薄型表示装置のうち表示すべきページを表すページ情報、及び各ページ毎に更新されることにより画像データの現在のページ位置を表すページ情報を、ホスト装置が画像データに付加して、ホスト装置に保持された各薄型表示装置に順次送信する。
【００２２】
そして、ホスト装置に複数ページ保持された各薄型表示装置が、ページ情報及びページ位置情報が付加された画像データを受信して、ページ情報とページ位置情報が一致する画像データに基づいて、表示手段に画像を表示する。
【００２３】
また、各薄型表示装置は、ページ位置情報を更新して続くページの薄型表示装置又はホスト装置にページ情報及び更新されたページ位置情報が付加された画像データを順次送信する。
【００２４】
すなわち、画像データが順次薄型表示装置から送出される毎に、ページ位置情報が各ページの薄型表示装置で更新されるので、ページ情報とページ位置情報が一致するページの薄型表示装置が、画像を表示すべきページとなるので、所望のページの薄型表示装置に所望の画像を表示させることができる。
【００２５】
このようにホスト装置から送信する画像データにページ情報とページ位置情報を付加して、各ページ毎にページ位置情報を更新し、ページ情報とページ位置情報が一致する薄型表示装置において画像データに基づく表示を行うだけで、容易に薄型表示ファイルの各薄型表示装置への表示を制御することができるので、簡易な構成かつ簡易な通信で表示制御することができる。
【００２６】
請求項６に記載の発明は、請求項５に記載の発明において、前記薄型表示装置が、表裏に前記表示手段を有する場合には、前記ホスト装置は、前記ページ情報及びページ位置情報の他に、表示すべき薄型表示装置の表裏を表す表裏情報をさらに付加して、各薄型表示装置は、前記一致する画像データ及び前記表裏情報に基づいて表裏の前記表示手段に画像を表示することを特徴としている。
【００２７】
請求項６に記載の発明によれば、請求項５に記載の発明において、薄型表示装置が、表裏に表示手段を有する場合には、ホスト装置が、ページ情報及びページ位置情報の他に、表示すべき薄型表示装置の表裏を表す表裏情報をさらに付加して、薄型表示装置が、ページ情報及びページ位置情報が一致する画像データ及び表裏情報に基づいて、表裏の表示手段に画像を表示することにより、表裏に表示手段を有する薄型表示装置でも、上記同様に、所望のページの薄型表示装置に所望の画像を表示させることができる。
【００２８】
請求項７に記載の発明は、画像を表す画像データに基づいて画像を表示する表示手段を有する薄型表示装置と、当該薄型表示装置を複数ページ直列接続して保持すると共に、前記画像データを複数の前記薄型表示装置へ順次送信するホスト装置と、からなる薄型表示ファイルであって、前記ホスト装置は、複数ページ保持された前記薄型表示装置のうち表示すべきページを表すページ情報を前記画像データに付加する付加手段と、前記付加手段によって前記ページ情報が付加された画像データを前記薄型表示装置に送信する送信手段と、を備え、前記薄型表示装置は、前記ページ情報が付加された画像データを受信する受信手段と、前記受信手段によって受信した前記画像データの前記ページ情報と、前記薄型表示装置の直列接続に応じて前記薄型表示装置毎に予め設定されたページ設定情報と、を比較して一致するか否かを判定する判定手段と、前記判定手段の判定結果に基づいて、前記表示手段の表示を制御する制御手段と、前記ページ情報が付加された画像データを続くページの前記薄型表示装置又は前記ホスト装置へ送出する送出手段と、を備えることを特徴としている。
【００２９】
請求項７に記載の発明によれば、薄型表示装置が例えば複数ページ重ねられて直列接続されて、ホスト装置によって保持されることにより薄型表示ファイルが構成され、各薄型表示装置に画像を表示するための画像データがホスト装置より順次送信される。
【００３０】
ホスト装置では、複数ページ保持された薄型表示装置のうち表示すべきページを表すページ情報が画像データに付加されて、送信手段によって薄型表示装置に送信される。
【００３１】
薄型表示装置では、受信手段によってページ情報が付加された画像データが受信される。そして、判定手段によってページ情報と、薄型表示装置の直列接続に応じて薄型表示装置毎に予め設定されたページ設定情報が一致するか否か判定され、該判定結果に基づいて、制御手段によって表示手段への表示が制御される。
【００３２】
また、ページ位置情報が付加された画像データは送出手段によって続くページの薄型表示装置又はホスト装置に送出される。なお、ページ設定情報は、例えば、複数の薄型表示装置がホスト装置に保持された状態における、各薄型表示装置のページを予め薄型表示装置に設定することが可能である。
【００３３】
すなわち、請求項１に記載の発明では、ページ情報とページ位置情報を画像データに付加して、ページ位置情報を各薄型表示装置で更新して、ページ情報とページ位置情報が一致するときに、表示するようにしたが、請求項７に記載の発明では、ページ情報のみを画像データに付加して、ページ位置情報の代わりに各薄型表示装置にページ設定情報を薄型表示装置の直列接続に応じて予め設定することにより、ページ情報とページ設定情報が一致するときに、画像を表示するようにしている。これによって、請求項１に記載の発明と同様に、容易に薄型表示ファイルの各薄型表示装置への表示を制御することができるので、簡易な構成かつ簡易な通信で表示制御することができる。
【００３４】
請求項８に記載の発明は、画像を表す画像データに基づいて画像を表示する表示手段を有する薄型表示装置と、当該薄型表示装置を複数ページ直列接続して保持すると共に、前記画像データを複数の前記薄型表示装置へ順次送信するホスト装置と、からなる薄型表示ファイルのデータ通信方法であって、前記ホスト装置に保持された複数の前記薄型表示装置のうち表示すべきページを表すページ情報を、前記ホスト装置が前記画像データに付加して、前記ホスト装置に保持された各薄型表示装置に順次送信し、前記ホスト装置に複数ページ保持された各薄型表示装置が、前記ページ情報が付加された画像データを受信して、前記画像データの前記ページ情報と、前記薄型表示装置の直列接続に応じて前記薄型表示装置毎に予め設定されたページ設定情報とが一致する画像データに基づいて、前記表示手段に画像を表示すると共に、前記ページ情報が付加された画像データを続くページの薄型表示装置又は前記ホスト装置に順次送信することを特徴としている。
【００３５】
請求項８に記載の発明によれば、ホスト装置に保持された複数の薄型表示装置のうち表示すべきページを表すページ情報を、ホスト装置が画像データに付加して、ホスト装置に保持された各薄型表示装置に順次送信する。
【００３６】
そして、ホスト装置に複数ページ保持された各薄型表示装置が、ページ情報が付加された画像データを受信して、画像データのページ情報と、薄型表示装置の直列接続に応じて予め設定されたページ設定情報が一致する画像データに基づいて、表示手段に画像を表示する。なお、ページ設定情報は、例えば、複数の薄型表示装置がホスト装置に保持された状態における、各薄型表示装置のページを予め薄型表示装置に設定することが可能である。
【００３７】
また、各薄型表示装置は、続くページの薄型表示装置又はホスト装置にページ情報が付加された画像データを順次送信する。
【００３８】
すなわち、請求項５に記載の発明では、ページ情報とページ位置情報を画像データに付加して、ページ位置情報を各薄型表示装置で更新して、ページ情報とページ位置情報が一致するときに、表示するようにしたが、請求項８に記載の発明では、ページ情報のみを画像データに付加して、ページ位置情報の代わりに各薄型表示装置にページ設定情報を薄型表示装置の直列接続に応じて予め設定することにより、ページ情報とページ設定情報が一致するときに、画像を表示するようにしている。これによって、請求項５に記載の発明と同様に、容易に薄型表示ファイルの各薄型表示装置への表示を制御することができるので、簡易な構成かつ簡易な通信で表示制御することができる。
【００３９】
【発明の実施の形態】
以下、図面を参照して本発明の実施の形態の一例を詳細に説明する。なお、本実施の形態は、所謂電子ペーパを束ねる電子ペーパファイルに本発明を適用したものである。
［第１実施形態］
図１には、本発明の第１実施形態に係わる電子ペーパ１０の外観図を示す。本実施の形態に係わる電子ペーパ１０は、例えば、トナーの回転、電気泳動、サーマルリライタブル、液晶及びエレクトロクロミーなどの技術を適用した電子ペーパーを適用することが可能である。
【００４０】
図１に示すように、本発明の第１実施形態に係わる電子ペーパ１０は、表示領域１２を有しており、当該表示領域１２にテキスト画像を含む画像１４を表示するようになっている。
【００４１】
表示領域１２は、外枠１６が設けられており、表示領域１２は外枠１６によって保持されている。なお、表示領域１２及び外枠１６は柔軟性のある材料で構成され、紙などのように取り扱うことが可能とされている。
【００４２】
外枠１６には、複数の電子ペーパ１０を重ねたときに、電気的に接続するための接続部１８を有しており、当該接続部１８を介して、表示領域１２に表示するための画像データ等を送受信することが可能とされている。
【００４３】
接続部１８は、図２に示すように、電子ペーパ１０の表裏に設けられており、複数の電子ペーパ１０が重ねられたときに、それぞれの接続部１８が接続されるようになっている。なお、接続部１８は、機械的に接続するコネクタや接点等の接触型のものを適用してもよいし、微弱な電磁誘導等を用いた非接触型のものを適用するようにしてもよい。
【００４４】
電子ペーパ１０は、表面裏面共に同一形状とされており、適宜その表裏を定めることができるようになっている。
【００４５】
また、電子ペーパ１０は、図３に示すように、ホスト装置２０によってバインダ状に保持されるようになっている。ホスト装置２０には、電子ペーパ１０の接続部１８の対応する位置に電子ペーパ１０の接続部１８と接続するための一対の接続部２２を備えており、ホスト装置２０に蓄積された画像データを電子ペーパ１０へ送信すると共に、電子ペーパ１０から画像データを受信することが可能なように構成されている。
【００４６】
ホスト装置２０は、図４、５に示すように、保持する電子ペーパ１０の枚数に応じて、伸縮する伸縮部２０Ａを有しており、保持する電子ペーパ１０の枚数が増える毎に、当該伸縮部２０Ａが伸張するようになっている。なお、図４では、１枚の電子ペーパ１０をホスト装置２０が保持する例を示し、図５では、３枚の電子ペーパ１０をホスト装置２０が保持する例を示す。
【００４７】
続いて、電子ペーパ１０及びホスト装置２０の電気的な構成を図６を参照して説明する。
【００４８】
図６に示すように、ホスト装置２０は、制御部２４、外部入力部２６、操作部２８、記憶部３０、及び通信インタフェース（Ｉ／Ｆ）３２を備えており、ホスト装置２０は、制御部２４によって統括的に制御されるようになっている。
【００４９】
外部入力部２６は、パーソナルコンピュータやその他の外部の装置から電子ペーパ１０に表示するための画像データを入力するようになっており、外部入力部２６によって入力された画像データが当該記憶部３０に記憶される。
【００５０】
記憶部３０に蓄積された画像データは、制御部２４によって所定の形式のデータに変換されて通信Ｉ／Ｆ３２及び接続装置２２を介して電子ペーパ１０へ出力される。
【００５１】
ホスト装置２０は、操作部２８によって各種操作を行うことが可能とされており、例えば、操作部２８の操作により、記憶部３０に記憶された画像データの電子ペーパ１０への送信等を操作指示することが可能とされている。この他に、操作部２８は、表示しきれなかった画像データの再表示等の操作指示を行うことが可能とされている。
【００５２】
一方、各電子ペーパ１０は、通信Ｉ／Ｆ３４、３６、制御部３８、及び表示部４０を含んで構成されており、ホスト装置２０の通信Ｉ／Ｆ３２より送信される画像データを接続部１８及び通信Ｉ／Ｆ３４を介して入力するようになっている。
【００５３】
通信Ｉ／Ｆ３４を介して入力された画像データは、制御部３８へ入力され、制御部３８によって表示すべき画像データが抽出されて表示部４０へ入力され、表示部４０によって表示領域１２に画像が表示されるようになっている。
【００５４】
また、制御部３８によって表示領域１２に表示すべき画像データが抽出された残りの画像データは、通信Ｉ／Ｆ３６及び接続部１８を介して、他の電子ペーパ１０またはホスト装置２０へ送信されるようになっている。
【００５５】
制御部３８は、不揮発性メモリを含んでおり、表示部４０に表示する画像データを記憶するようになっている。また、表示部４０に表示された画像は、ホスト装置２０から供給される図示しない電源が供給されない状態でも維持されるようになっている。
【００５６】
次に、ホスト装置２０から電子ペーパ１０に送信される画像データの構成及び当該画像データの通信について説明する。
【００５７】
ホスト装置２０の制御部２４では、外部装置から外部入力部２６を介して入力して記憶部３０に蓄積した画像データに、付帯情報を付与して出力するようになっている。付帯情報として本実施形態では、図７に示すように、画像データであるページデータ４２に２つのページフィールド（表示ページフィールドＰ１と位置ページフィールドＰ２）４４を追加して電子ペーパ１０へ出力するようになっている。
【００５８】
表示ページフィールドＰ１は、表示すべき電子ペーパ１０のページ数を表し、位置ページフィールドＰ２は、電子ペーパの現在のページ位置を表すと共に各電子ペーパ１０でインクリメントされるようになっている。
【００５９】
電子ペーパ１０の制御部３８では、上述のようにページフィールド４４が付加された画像データの２つのページフィールド４４を読出して比較し、２つのページフィールド４４が一致している場合に、当該画像データを表示部４０により表示領域１２に表示させるようになっており、２つのページフィールド４４が一致しない場合には、位置ページフィールドＰ２を１インクリメントして次ぎの電子ペーパ１０へ送信するようになっている。
【００６０】
各電子ペーパ１０が上述のように、２つのページフィールド４４の比較及び位置ページフィールドＰ２のインクリメントを繰り返すことにより、対応するページ位置の電子ペーパ１０に所望の画像を表示させることが可能となる。
例えば、図８に示すように、３ページ分の画像データがホスト装置２０より出力される場合には、ホスト装置２０から画像データが出力される際に、１ページ目の電子ペーパ１０Ａに表示させるための画像データのページフィールド４４は、（１、１）が記録され、２ページ目は、（２、１）が記録され、３ページ目は、（３、１）が記録される。なお、（表示ページフィールドＰ１、位置ページフィールドＰ２）とする。
【００６１】
１ページ目の電子ペーパ１０Ａでは、２つのページフィールド４４が一致する１ページ目の画像データを表示部４０に表示させ、残りの画像データについては、位置ページフィールドＰ２を１インクリメントし、ページフィールド４４が（２、２）の画像データ、及びページフィールド４４が（３、２）の画像データを２ページ目の電子ペーパ１０Ｂに出力する。
【００６２】
２ページ目の電子ペーパ１０Ｂでは、同様に、２つのページフィールド４４が一致する２ページ目の画像データを表示部４０に表示させ、残りの画像データの位置ページフィールドＰ２を１インクリメントし、ページフィールド４４が（３、３）の画像データを３ページ目の電子ペーパ１０Ｃへ出力する。
【００６３】
そして、３ページ目の電子ペーパ１０Ｃも同様に、２つのページフィールド４４が一致する３ページ目の画像データを表示部４０に表示させる。
【００６４】
このように通信することによって、所望のページ位置の電子ペーパ１０に所望の画像を表示させることができる。
【００６５】
続いて、上述のように構成されたホスト装置２０で行われる上述の通信の際の処理について図９のフローチャートを参照して説明する。
【００６６】
ホスト装置２０では、ステップ１００で、電子ペーパ１０に表示するための画像データが入力されたか否か判定される。該判定が否定された場合には肯定されるまで待機してステップ１０２へ移行し、画像データが記憶部３０に蓄積され、ステップ１０４へ移行する。なお、ステップ１００及びステップ１０２の処理は、既に記憶部３０に蓄積された画像データを電子ペーパ１０へ表示する際には省略する。
【００６７】
ステップ１０４では、表示指示がなされた否か判定される。該判定は、操作部２８を介して記憶部３０に蓄積された画像データの電子ペーパ１０への表示指示がなされたか否かを判定することによってなされる。なお、操作部２８を介して行われる表示指示は、例えば、記憶部３０に蓄積された画像データのうち、表示するための画像データの選択及び表示順序等を含む。
【００６８】
ステップ１０４の判定が否定された場合には、そのまま処理を終了し、ステップ１０４の判定が肯定された場合には、ステップ１０６へ移行し、表示指示に基づいてページフィールド４４が画像データに付加される。すなわち、表示する画像データに、上述の表示ページフィールドＰ１及び位置ページフィールドＰ２が付加される。
【００６９】
そして、ステップ１０８では、画像データが電子ペーパ１０に出力され、後述する電子ペーパ１０側の処理が行われる。
【００７０】
また、ステップ１１０では、画像データが電子ペーパ１０から戻って来たか否か判定される。すなわち、ホスト装置２０に保持された電子ペーパ１０の枚数よりも多くの画像データをホスト装置２０から出力した場合には、表示しきれずに画像データが戻って来るので、これを判定する。
【００７１】
ステップ１１０の判定が否定された場合には、一連の処理を終了し、ステップ１１０の判定が肯定された場合には、ステップ１１２へ移行する。
【００７２】
ステップ１１２では、残りの画像表示指示が操作部２８を介して行われたか否か判定される。該判定が否定された場合には、そのまま一連の処理を終了し、肯定された場合には、ステップ１１４へ移行する。
【００７３】
ステップ１１４では、残りの画像、すなわち、表示しきれずに電子ペーパ１０から戻って来た画像データに対して、ページフィールド４４を初期化して出力し、一連の処理をする。すなわち、表示しきれなかった画像データについて、表示ページフィールドＰ１及び位置ページフィールドＰ２を１ページ目の電子ペーパ１０から表示させるための値にして出力する。これによって、１ページ目の電子ペーパ１０から順に残りの画像を表示させることができる。
【００７４】
続いて、電子ペーパ１０で行われる上述の通信の際の処理について図１０のフローチャートを参照して説明する。
【００７５】
電子ペーパ１０では、ステップ２００で、画像データが入力されたか否か判定される。すなわち、ホスト装置２０から電子ペーパ１０に表示するための画像データが入力された否か判定され、該判定が否定された場合には、肯定されるまで待機してステップ２０２へ移行する。
【００７６】
ステップ２０２では、各画像データの２つのページフィールド４４が比較される。すなわち、表示ページフィールドＰ１と位置ページフィールドＰ２の値が比較される。
【００７７】
次に、ステップ２０４では、比較された画像データの２つのページフィールドの比較結果が、表示ページフィールドＰ１＝位置ページフィールドＰ２か否か判定され、該判定が肯定された場合には、ステップ２０６へ移行し、画像データに基づく表示、すなわち、表示部４０による表示領域１２への表示が当該電子ペーパ１０で行われてステップ２０８へ移行する。
【００７８】
一方、ステップ２０４の判定が否定された場合には、当該電子ペーパ１０に表示するための画像データではないので、そのままステップ２０８へ移行する。
【００７９】
ステップ２０８では、位置ページフィールドＰ２が１インクリメントされてステップ２１０へ移行して、画像データが次ぎの電子ペーパ１０（次の電子ペーパ１０がない場合には、ホスト装置２０）へ出力される。
【００８０】
そして、ステップ２１２では、ホスト装置２０から入力された全画像データについてページフィールド４４の比較が終了したか否か判定され、該判定が否定された場合には、ステップ２０２へ戻って上述の処理が繰り返され、ステップ２１２の判定が肯定されたところで当該電子ペーパ１０の一連の処理を終了する。
【００８１】
このように、ホスト装置２０側で、画像データに２つのページフィールド４４を付加し、電子ペーパ１０側で、２つのページフィールドを比較すると共に、位置ページフィールドＰ２をインクリメントする簡単な通信制御だけで、各ページに対応する電子ペーパ１０に所望の画像を容易に表示させることができる。
【００８２】
また、このようにホスト装置２０と電子ペーパ１０との通信を行うことによって、ホスト装置２０に保持する電子ペーパ１０の数を予め検出することなく、容易に表示制御を行うことができると共に、複雑な接続機構を設けることなく、表示枚数をホスト装置２０が容易に把握することができる。
【００８３】
さらには、電子ペーパ１０の制御部３８の簡易化ができると共に、高速化が可能となり、電子ペーパ１０のコストを低減することができる。
［第２実施形態］
続いて、本発明の第２実施形態に係わる電子ペーパ及びホスト装置について説明する。
【００８４】
第１実施形態に係わる電子ペーパ１０は、表示領域１２が片面であるが、第２実施形態に係わる電子ペーパは、表示領域が両面とされ、その他の構成は同一とされている。また、第２実施形態に係わるホスト装置は、第１実施形態と同一とされている。
【００８５】
電気的な構成としては、図１１に示すように、ホスト装置２１は制御部の制御が異なるのみで、その他は第１実施形態と同一であり、電子ペーパ１１は表示部が表用の表示部４０Ａと裏用の表示部４０Ｂの２つ有し、その他の構成は第１実施形態と同一であるため説明を省略する。なお、図１１では、第１実施形態と同一構成について同一符号で示す。
【００８６】
次に、第２実施形態に係わるホスト装置２１から電子ペーパ１１に送信される画像データの構成及び画像データの通信について説明する。
【００８７】
ホスト装置２１の制御部２５では、外部装置から外部入力部２８を介して入力して記憶部３０に蓄積した画像データに、図１２に示すように、付帯情報を付与して出力するようになっている。付帯情報として第２実施形態では、画像データであるページデータに２つのページフィールド（表示ページフィールドＰ１と位置ページフィールドＰ２）４４を追加すると共に、さらに表示させる表裏を表す表裏フィールドＰ３を追加して電子ペーパ１１へ出力するようになっている。
【００８８】
表示ページフィールドＰ１は、表示すべき電子ペーパ１１のページ数を表し、位置ページフィールドＰ２は、電子ペーパ１１の現在のページ位置を表すと共に各電子ペーパ１１でインクリメントされるようになっている。なお、表裏フィールドＰ３は、１が表を表し、２が裏を表すものとするが、これに限るものではない。
【００８９】
電子ペーパ１１の制御部３８では、第１実施形態と同様に、上述のようにページフィールドＰ１が付加された画像データの２つのページフィールド４４を比較し、２つのページフィールド４４が一致している場合に、当該画像データを表示部４０Ａ、４０Ｂにより表示領域１２に表示させる。このとき、第２実施形態では、表裏フィールドＰ３の値に基づいて、表裏のいずれかに表示させるようになっている。すなわち、表裏フィールドＰ３の値が１の場合には表示部４０Ａによって表の表示領域に表示させ、表裏フィールドＰ３の値が２の場合には表示部４０Ｂによって裏の表示領域に表示させるようになっている。なお、自電子ペーパ１１の表裏の判別は、例えば、制御部３８が、画像データが入力される通信Ｉ／Ｆ３４（接続部１８）の方を、表として判別することが可能である。
【００９０】
各電子ペーパ１１が上述のように、２つのページフィールド４４の比較、位置ページフィールドＰ２のインクリメント、及び表裏フィールドＰ３の確認を繰り返すことにより、対応するページ位置の電子ペーパ１１の表裏に所望の画像を表示させることが可能となる。
【００９１】
例えば、図１３に示すように、表裏３ページ分の画像データがホスト装置２１より出力される場合には、ホスト装置２１から画像データが出力される際に、１ページ目の電子ペーパ１１Ａの表に表示させるための画像データのページフィールド４４及び表裏フィールドＰ３は、（１、１、１）、１ページ目の電子ペーパ１１Ａの裏に表示させるための画像データのページフィールド４４及び表裏フィールドＰ３は、（１、１、２）が記録され、２ページ目の表は、（２、１、１）、２ページ目の裏は、（２、１、２）が記録され、３ページ目の表は、（３、１、１）、３ページ目の裏は、（３、１、２）が記録される。なお、（表示ページフィールドＰ１、位置ページフィールドＰ２、表裏フィールドＰ３）とする。
【００９２】
１ページ目の電子ペーパ１１Ａでは、第１実施形態と同様に２つのページフィールド４４が一致する１ページ目の画像データに対して、表裏フィールドＰ３が１の画像データを表に表示させ、表裏フィールドＰ３が２の画像データを裏に表示させ、残りの画像データについては、位置ページフィールドＰ２を１インクリメントし、ページフィールド４４及び表裏フィールドＰ３が（２、２、１）、（２、２、２）の画像データ、及びページフィールド４４及び表裏フィールドＰ３が（３、２、１）、（３、２、２）の画像データを２ページ目の電子ペーパ１１Ｂに出力する。
【００９３】
２ページ目の電子ペーパ１１Ｂは、同様に、２つのページフィールド４４が一致する２ページ目の画像データに対して、表裏フィールドＰ３が１の画像データを表に表示させ、表裏フィールドＰ３が２の画像データを裏に表示させ、残りの画像データについては、位置ページフィールドＰ２を１インクリメントし、ページフィールド４４及び表裏フィールドＰ３が（３、３、１）、（３、３、２）の画像データを３ページ目の電子ペーパ１１Ｃに出力する。
【００９４】
そして、３ページ目の電子ペーパ１１Ｃも同様に、２つのページフィールド４４が一致する３ページ目の画像データに対して、表裏フィールドＰ３が１の画像データを表に表示させ、表裏フィールドＰ３が２の画像データを裏に表示させる。
【００９５】
このように通信することによって、所望のページ位置の電子ペーパ１１の表裏に所望の画像を表示させることができる。
【００９６】
続いて、上述のように構成されたホスト装置２１で行われる上述の通信の際の処理について図１４のフローチャートを参照して説明する。
【００９７】
ホスト装置２１では、ステップ３００で、電子ペーパ１１に表示するための画像データが入力されたか否か判定される。該判定が否定された場合には肯定されるまで待機してステップ３０２へ移行し、画像データが記憶部３０に蓄積され、ステップ３０４へ移行する。なお、ステップ３００及びステップ３０２の処理は、既に記憶部３０に蓄積された画像データを電子ペーパ１１へ表示する際には省略する。
【００９８】
ステップ３０４では、表示指示がなされたか否か判定される。該判定は、操作部２８を介して記憶部３０に蓄積された画像データの電子ペーパ１１への表示指示がなされたか否かを判定することによってされる。なお、操作部２８を介して行われる表示指示は、例えば、記憶部３０に蓄積された画像データのうち、表示するための画像データの選択及び表示順序等を含む。
【００９９】
ステップ３０４の判定が否定された場合には、そのまま処理を終了し、ステップ３０４の判定が肯定された場合には、ステップ３０６へ移行し、表示指示に基づいてページフィールド４４及び表裏フィールドＰ３が画像データに付加される。すなわち、表示する画像データに、上述の表示ページフィールドＰ１、位置ページフィールドＰ２、及び表裏フィールドＰ３が付加される。
【０１００】
そして、ステップ３０８では、画像データが電子ペーパ１１に出力され、後述する電子ペーパ１１側の処理が行われる。
【０１０１】
また、ステップ３１０では、画像データが電子ペーパ１１から戻って来たか否か判定される。すなわち、ホスト装置２１に保持された電子ペーパ１１の枚数よりも多くの画像データをホスト装置２１から出力した場合には、表示しきれずに画像データが戻ってくるので、これを判定する。
【０１０２】
ステップ３１０の判定が否定された場合には、一連の処理を終了し、ステップ３１０の判定が肯定された場合には、ステップ３１２へ移行する。
【０１０３】
ステップ３１２では、残りの画像表示指示が操作部２８に行われたか否か判定される。該判定が否定された場合には、そのまま一連の処理を終了し、肯定された場合には、ステップ３１４へ移行する。
【０１０４】
ステップ３１４では、残りの画像、すなわち、表示しきれずに電子ペーパ１１から戻って来た画像データに対して、ページフィールド４４及び表裏フィールドＰ３を初期化して出力し、一連の処理を終了する。すなわち、表示しきれなかった画像データについて、表示ページフィールドＰ１、位置ページフィールドＰ２、及び表裏フィールドＰ３を１ページ目の電子ペーパ１１から表示させるための値にして出力する。これによって、１ページ目の電子ペーパ１１から順に、残りの画像を表示させることができる。
【０１０５】
続いて、第２実施形態に係わる電子ペーパ１１で行われる上述の通信の際の処理について図１５のフローチャートを参照して説明する。
【０１０６】
第２実施形態に係わる電子ペーパ１１では、ステップ４００で、画像データが入力されたか否か判定される。すなわち、ホスト装置２１から電子ペーパ１１に表示するための画像データが入力されたか否か判定され、該判定が否定された場合には、肯定されるまで待機してステップ４０２へ移行する。
【０１０７】
ステップ４０２では、各画像データのページフィールド４４が比較される。すなわち、表示ページフィールドＰ１と位置ページフィールドＰ２の値が比較される。
【０１０８】
次に、ステップ４０４では、比較された画像データの２つのページフィールド４４の比較結果が、表示ページフィールドＰ１＝位置ページフィールドＰ２か否か判定され、該判定が肯定された場合には、ステップ４０６へ移行する。
【０１０９】
ステップ４０６では、表裏フィールドＰ３が１か否か判定される。すなわち、電子ペーパ１１の表に表示すべき画像データか否か判定され、該判定が肯定された場合には、ステップ４０８へ移行して、画像データに基づく電子ペーパ１１の表面への表示、すなわち、表示部４０Ａによる表示領域への表示が行われ、ステップ４１２へ移行する。
【０１１０】
また、ステップ４０６の判定が否定、すなわち、電子ペーパ１１の裏に表示すべき画像である場合には、ステップ４１０へ移行して、画像データに基づく電子ペーパ１１の裏面への表示、すなわち、表示部４０Ｂによる表示領域への表示が行われてステップ４１２へ移行する。
【０１１１】
一方、ステップ４０４の判定が否定された場合には、当該電子ペーパ１１に表示するための画像データではないので、そのままステップ４１２へ移行する。
【０１１２】
ステップ４１２では、位置ページフィールドＰ２が１インクリメントされてステップ４１４へ移行して、画像データが次ぎの電子ペーパ１１（次の電子ペーパ１１がない場合には、ホスト装置２１）へ出力される。
【０１１３】
そして、ステップ４１６では、ホスト装置２１から入力された全画像データについてページフィールド４４の比較が終了したか否か判定され、該判定が否定された場合には、ステップ４０２へ戻って上述の処理が繰り返され、ステップ４１６の判定が肯定されたところで当該電子ペーパ１１の一連の処理を終了する。
【０１１４】
このように、表裏に表示可能な電子ペーパ１１についても、画像データに２つのページフィールド４４及び表裏フィールドＰ３を付加し、電子ペーパ１１側で、２つのページフィールド４４を比較して、表裏フィールドＰ３を確認すると共に、位置ページフィールドＰ２をインクリメントするだけで、各ページに対応する電子ペーパ１１の表裏に所望の画像を容易に表示させることができる。
【０１１５】
また、このようにホスト装置２１と電子ペーパ１１との通信を行うことによって、ホスト装置２１に保持する電子ペーパ１１の数を予め検出することなく、容易に表示制御を行うことができると共に、複雑な接続機構を設けることなく、表示枚数をホスト装置２１が簡易に把握することができる。
【０１１６】
さらには、電子ペーパ１１の制御部３８の簡易化ができると共に、高速化が可能となり、電子ペーパ１１のコストを低減することができる。
【０１１７】
加えて、第２実施形態では、上述のようにホスト装置２１と電子ペーパ１１との通信を行うことによって、電子ペーパ１１をホスト装置２１によって保持する際に、表裏を意識することなく、適切な表示を行うことができる。
【０１１８】
なお、上記の実施の形態では、電子ペーパ１０、１１の表示すべきページ位置に対応する画像データは、当該電子ペーパ１０、１１に保持されて、当該電子ペーパのページ位置に対応しない残りの画像データのみが次ぎのページの電子ペーパ１０、１１またはホスト装置２０、２１へ出力するようにしたが、これに限るものではなく、電子ペーパ１０、１１の表示すべきページ位置に対応する画像データについても次のページの電子ペーパ１０、１１またはホスト装置２０、２１へ出力するようにしてもよい。この場合には、ホスト装置２０、２１は、表示しきれずにホスト装置２０、２１に戻って来た画像データを判別するために、位置ページフィールドＰ２の値を確認することで、表示しきれずに戻って来た画像データを判別することができ、画像データの再表示時に、表示しきれずに戻って来た画像データの表示を行うことが可能となる。
【０１１９】
また、上記の実施の形態では、画像データに付加する付帯情報（ページフィールド４４や表裏フィールドＰ３）は、画像データのヘッダとして付加するのが好ましい。ヘッダに付加することによって、全ての画像データを受信する前に、転送の判断が可能となり、ページ内容を記憶するために各電子ペーパ１０、１１に設ける制御部３８のメモリを削減することが可能となる。
【０１２０】
さらに、上記の実施の形態では、表示ページフィールドＰ１及び位置ページフィールドＰ２、または表示ページフィールドＰ１、位置ページフィールドＰ２、及び表裏フィールドＰ３を画像データに付加するようにしたが、各電子ペーパ１０の制御部３８に、ホスト装置２０に保持する電子ペーパ１０の直列接続の配列に応じて各電子ペーパ１０のページ設定（各電子ペーパ１０のホスト装置２０に保持された状態でのページ位置）を予め設定して記憶しておくことにより、位置ページフィールドＰ２は画像データに付加しなくてもよい。
【０１２１】
すなわち、上記実施の形態における、位置ページフィールドＰ２と表示ページフィールドＰ１との比較（図１０におけるステップ２０６、または図１５におけるステップ４０４）の代わりに、表示ページフィールドＰ１と、各電子ペーパ１０に予め設定されたページ設定を比較して、一致する電子ペーパ１０に当該表示ページフィールドＰ１に対応する画像データに基づく画像を表示するようにすることによって、各電子ペーパ１０をホスト装置２０から取り外したときには、元のページ位置に電子ペーパ１０を戻さないと、ホスト装置２０に保持された状態でページがばらばらな状態となってしまうが、上記の実施の形態と同様に、各電子ペーパ１０への表示制御を行うことができる。
【０１２２】
【発明の効果】
以上説明したように本発明によれば、ホスト装置に保持された複数の薄型表示装置のうち表示すべきページを表すページ情報、及び各ページ毎に更新されることにより画像データの現在のページ位置を表すページ位置情報を、ホスト装置が画像データに付加して、各薄型表示装置に順次送信し、各薄型表示装置が、画像データのページ情報及びページ位置情報が一致する画像データに基づいて画像を表示すると共に、ページ位置情報を更新して続くページの薄型表示装置又はホスト装置に順次送信することにより、所望のページの薄型表示装置に所望の画像を表示させることができるので、簡易な構成かつ簡易な通信で表示制御することができる、という効果がある。
【０１２３】
また、ページ位置情報の代わりに、薄型表示装置の直列接続に応じて各薄型表示装置毎に予めページ設定情報を記憶しておくことにより、ホスト装置がページ情報を画像データに付加して、各薄型表示装置に順次送信し、各薄型表示装置が、画像データのページ情報と、予め設定されたページ設定情報が一致する画像データに基づいて画像を表示すると共に、続くページの薄型表示装置又はホスト装置にページ情報が付加された画像データを順次送信することにより、所望のページの薄型表示装置に所望の画像を表示させることができるので、簡易な構成かつ簡易な通信で表示制御することができる。
【図面の簡単な説明】
【図１】本発明の第１実施形態に係わる電子ペーパの外観を示す斜視図である。
【図２】電子ペーパを重ねた状態を示す図である。
【図３】電子ペーパと該電子ペーパを保持するホスト装置を示す斜視図である。
【図４】１枚の電子ペーパを保持するホスト装置の保持状態を示す断面図である。
【図５】３枚の電子ペーパを保持するホスト装置の保持状態を示す断面図である。
【図６】第１実施形態に係わる電子ペーパとホスト装置の電気的な構成を示すブロック図である。
【図７】第１実施形態に係わるホスト装置から電子ペーパに送信される画像データの構成を示す模式図である。
【図８】第１実施形態に係わるホスト装置から電子ペーパに送信される画像データの通信を説明するための図である。
【図９】第１実施形態に係わるホスト装置で行われる通信の際の処理を示すフローチャートである。
【図１０】第１実施形態に係わる電子ペーパで行われる通信の際の処理を示すフローチャートである。
【図１１】第２実施形態に係わる電子ペーパとホスト装置の電気的な構成を示すブロック図である。
【図１２】第２実施形態に係わるホスト装置から電子ペーパに送信される画像データの構成を示す模式図である。
【図１３】第２実施形態に係わるホスト装置から電子ペーパに送信される画像データの通信を説明するための図である。
【図１４】第２実施形態に係わるホスト装置で行われる通信の際の処理を示すフローチャートである。
【図１５】第２実施形態に係わる電子ペーパで行われる通信の際の処理を示すフローチャートである。
【符号の説明】
１０、１１    電子ペーパ
１２    表示領域
１４    画像
１６    外枠
１８、２２    接続部
２０、２１    ホスト装置
２４、２５    制御部
２８    操作部
３０    記憶部
３２、３４、３６    通信Ｉ／Ｆ
３８    制御部
４０、４０Ａ、４０Ｂ    表示部
４２    ページデータ
４４    ページフィールド
Ｐ１    表示ページフィールド
Ｐ２    位置ページフィールド
Ｐ３    表裏フィールド
【図１】
2004184914.tif 000003
【図２】
2004184914.tif 000004
【図３】
2004184914.tif 000005
【図４】
2004184914.tif 000006
【図５】
2004184914.tif 000007
【図６】
2004184914.tif 000008
【図７】
2004184914.tif 000009
【図８】
2004184914.tif 000010
【図９】
2004184914.tif 000011
【図１０】
2004184914.tif 000012
【図１１】
2004184914.tif 000013
【図１２】
2004184914.tif 000014
【図１３】
2004184914.tif 000015
【図１４】
2004184914.tif 000016
【図１５】
2004184914.tif 000017